(57)【特許請求の範囲】
【請求項１】
第１および第２の垂下部（１１1，１１2）が底面の中央部に形成されたかつ該第１および第２の垂下部によって開閉可能とされたスリーブ（１１）を具備するドロップクロージャ（１０）の長手方向の両端をそれぞれ閉塞するための左側および右側端面部（１２1，１２2）からの既設光ドロップケーブルの引出本数が限界に達したのちに該ドロップクロージャから増設光ドロップケーブル（１）を引き出せるようにするためのケーブル引出本数簡易増設方法であって、
前記増設光ドロップケーブルを前記スリーブの前記第１および第２の垂下部で挟んで前記ドロップクロージャから外部に引き出し、
前記スリーブの前記第１および第２の垂下部に、ゴム製の第１および第２のパッキン（１７1，１７2）を取り付けて、前記増設光ドロップケーブルを前記スリーブの前記第１および第２の垂下部で挟んで前記ドロップクロージャから外部に引き出す際に該増設光ドロップケーブルを傷めないようにするとともに前記ドロップクロージャの防水対策を施す、
ことを特徴とする、ケーブル引出本数簡易増設方法。
【請求項２】
前記ドロップクロージャ内に引き込まれた前記増設光ドロップケーブルの心線（２）および支持線（３）を分離し、
該分離した支持線を前記ドロップクロージャ内に取り付けられた引留金具（１６）に引き留めて前記増設光ドロップケーブルを該ドロップクロージャで支持する、
ことを特徴とする、請求項１記載のケーブル引出本数簡易増設方法。
【請求項３】
前記ドロップクロージャの長手方向に沿って貫通孔が形成された受け金具（１８1，１８2）を該ドロップクロージャの外側に取り付け、
前記増設光ドロップケーブルを前記受け金具の貫通孔に通して受け止めたのちに前記ドロップクロージャ内に引き込む、
ことを特徴とする、請求項１または２記載のケーブル引出本数簡易増設方法。
【請求項４】
既設ドロップクロージャ（１１０）の長手方向の両端をそれぞれ閉塞するための左側および右側端面部（１１２1，１１２2）からの既設光ドロップケーブルの引出本数が限界に達したのちに該既設ドロップクロージャから増設光ドロップケーブルを引き出せるようにするためのケーブル引出本数簡易増設方法であって、
前記既設ドロップクロージャのスリーブ（１１１）を取り外し、
前記既設ドロップクロージャの前記左側および右側端面部の外周に、前記増設光ドロップケーブルを該既設ドロップクロージャ内に導入するための左側および右側増設光ドロップケーブル導入口（１５４1，１５４2）が形成された、かつ、２枚の環状の左側および右側増設用端面板（１５１11，１５１12；１５１21，１５１22）と該２枚の左側および右側増設用端面板の間にそれぞれ設けられた左側および右側増設用防水パッキン（１５２1，１５２2）とを備えた左側および右側増設用端面部（１５０1，１５０2）を取り付け、
前記既設ドロップクロージャに増設用スリーブ（１７１）を被せて固定し、
前記左側および右側増設用端面部の四隅において左側および右側増設用ボルト（１５５1，１５５2）と左側および右側増設用ナット（１５６1，１５６2）とで前記左側および右側増設用端面板を両側面からそれぞれ締め付け、該左側および右側増設用端面板で前記左側および右側増設用防水パッキンをそれぞれ圧縮して前記左側および右側増設用端面部と前記左側および右側端面部および前記増設用スリーブとを密着させる、
ことを特徴とする、ケーブル引出本数簡易増設方法。
【請求項５】
第１および第２の垂下部（１１1，１１2）が底面の中央部に形成されたかつ該第１および第２の垂下部によって開閉可能とされたスリーブ（１１）を具備するドロップクロージャ（１０）の長手方向の両端をそれぞれ閉塞するための左側および右側端面部（１２1，１２2）からの既設光ドロップケーブルの引出本数が限界に達したのちに該ドロップクロージャから増設光ドロップケーブル（１）を引き出せるようにしたドロップクロージャであって、
前記スリーブによって前記ドロップクロージャの内部に形成される収容空間内に取り付けられた、かつ、前記増設光ドロップケーブルを前記スリーブの前記第１および第２の垂下部で挟んで前記ドロップクロージャから外部に引き出す際に該増設光ドロップケーブルの支持線（３）を引き留めて該増設光ドロップケーブルを該ドロップクロージャで支持するための引留金具（１６）と、
前記スリーブの前記第１および第２の垂下部にそれぞれ取り付けられた、かつ、前記増設光ドロップケーブルを前記スリーブの前記第１および第２の垂下部で挟んで前記ドロップクロージャから外部に引き出す際に該増設光ドロップケーブルを傷めないようにするとともに前記ドロップクロージャの防水対策を施すためのゴム製の第１および第２のパッキン（１７1，１７2）と、
を具備することを特徴とする、ドロップクロージャ。
【請求項６】
前記ドロップクロージャの外側に取り付けられた、かつ、前記第１および第２の垂下部の間から引き出された前記増設光ドロップケーブルを通すための貫通孔が該ドロップクロージャの長手方向に沿って形成された受け金具（１８1，１８2）をさらに具備することを特徴とする、請求項５記載のドロップクロージャ。
【請求項７】
前記引留金具に、前記増設光ドロップケーブルの最大数と等しい数の孔が、該ドロップクロージャの長手方向に沿って一列に形成されており、
前記増設光ドロップケーブルの支持線が、前記引留金具の孔を通されて該引留金具に巻き付けられて引き留められる、
ことを特徴とする、請求項５または６記載のドロップクロージャ。
【発明の詳細な説明】
【技術分野】
【０００１】
本発明は、ケーブル引出本数簡易増設方法およびドロップクロージャに関し、特に、既に設置されたドロップクロージャから引き出せる光ドロップケーブルの本数を増やすのに好適なケーブル引出本数簡易増設方法およびドロップクロージャに関する。
【背景技術】
【０００２】
インターネットの普及に伴い、光ファイバを用いて高速かつ大容量の信号を各家庭やオフィスなどへ伝送することができるＦＴＴＨ（Fiber To The Home）が注目されている。ＦＴＴＨの加入者宅に引き込まれている光ドロップケーブルの引出元はアクセス系光ケーブル網に設置されているドロップクロージャ（たとえば、下記の特許文献１参照）であるが、ドロップクロージャから引き出せる光ドロップケーブルの本数（以下、「引出本数」と称する。）は、ＦＴＴＨのサービス開始時のドロップクロージャでは１２本、最近製品化されているドロップクロージャでは３２本などのように、限られている。
【０００３】
ＦＴＴＨへの加入率が低い地域ではこのようなドロップクロージャを使用しても特に問題はないが、ＦＴＴＨへの加入率が高い地域では光ドロップケーブルの引出本数が限界に達してきており、新規の加入者に対して光ドロップケーブルを引き出すことができずサービスを提供することができないという事態が生じてきている。
【０００４】
なお、本出願人は、下記の特許文献２において、既設のクロージャの余長収納トレイを余長収納トレイに心線が収納された光ケーブルと共に既設のクロージャのスリーブから取り外すとともに、既設のクロージャの光ケーブルを既設のクロージャの把持部から取り外す工程と、少なくとも１つの新設の余長収納トレイを備えた新設のクロージャにおいて、新設のクロージャのスリーブに対して取り外された余長収納トレイを取り付けるとともに、新設のクロージャの把持部に対して取り外された光ケーブルを取り付ける工程とを備えた、光ケーブル用クロージャの大容量化方法を提案している。
【０００５】
また、下記の特許文献３には、光ファイバケーブルを増設する作業を効率良く行えるとともに作業時に部品紛失のおそれがないようにするために、既設クロージャ内部ユニットを収容する収容空間が内部に形成されたスリーブと、スリーブ内に設けられた増設用連結体と、増設用連結体と既設クロージャ内部ユニットを着脱可能に固定する連結体固定部材とを具備し、連結体固定部材には既設のクロージャ内部ユニットを固定するための押さえ部材が取り付けられており、押さえ部材が連結体固定部材との間で既設のクロージャ内部ユニットの一部を挟んで固定するものであり、その一端部が連結体固定部材に対してスライド可能に支持され、その他端部がボルトにより連結体固定部材に対して着脱可能に固定されている光ファイバケーブル増設用クロージャが開示されている。
【特許文献１】特開２００４−１６３７１８号公報
【特許文献２】特開２００５−１４８４８６号公報
【特許文献３】特開平１０−１０３９０号公報
【発明の開示】
【発明が解決しようとする課題】
【０００６】
しかしながら、ドロップクロージャの新規取付けを行う方法では、以下に示すような問題がある。
（１）新規にドロップクロージャを取り付けるために、設備コスト（修繕費）がかさむ。
（２）アクセス系光ケーブル支障移転の作業効率が悪くなる。すなわち、簡易な移設工事でも、ドロップクロージャがあると余長が使えないため、アクセス系光ケーブルの切断を伴う大工事となる。
（３）ドロップクロージャの設置数や設置箇所が増加するため、心線管理が複雑になる。
また、上記の特許文献３に開示されているような光ファイバケーブル増設用クロージャでは、既設クロージャ内部ユニットおよび新設クロージャ内部ユニットを収容する収容空間が内部に形成されたスリーブを必要とするため、ドロップクロージャが大幅に大型化するという問題がある。
【０００７】
本発明の目的は、大幅な大型化を伴うことなくドロップクロージャの設置後も光ドロップケーブルの引出本数を増やすことができるケーブル引出本数簡易増設方法およびドロップクロージャを提供することにある。
【課題を解決するための手段】
【０００８】
本発明の第１のケーブル引出本数簡易増設方法は、第１および第２の垂下部（１１1，１１2）が底面の中央部に形成されたかつ該第１および第２の垂下部によって開閉可能とされたスリーブ（１１）を具備するドロップクロージャ（１０）の長手方向の両端をそれぞれ閉塞するための左側および右側端面部（１２1，１２2）からの既設光ドロップケーブルの引出本数が限界に達したのちに該ドロップクロージャから増設光ドロップケーブル（１）を引き出せるようにするためのケーブル引出本数簡易増設方法であって、前記増設光ドロップケーブルを前記スリーブの前記第１および第２の垂下部で挟んで前記ドロップクロージャから外部に引き出し、前記スリーブの前記第１および第２の垂下部に、ゴム製の第１および第２のパッキン（１７1，１７2）を取り付けて、前記増設光ドロップケーブルを前記スリーブの前記第１および第２の垂下部で挟んで前記ドロップクロージャから外部に引き出す際に該増設光ドロップケーブルを傷めないようにするとともに前記ドロップクロージャの防水対策を施すことを特徴とする。
ここで、前記ドロップクロージャ内に引き込まれた前記増設光ドロップケーブルの心線（２）および支持線（３）を分離し、該分離した支持線を前記ドロップクロージャ内に取り付けられた引留金具（１６）に引き留めて前記増設光ドロップケーブルを該ドロップクロージャで支持してもよい。
前記ドロップクロージャの長手方向に沿って貫通孔が形成された受け金具（１８1，１８2）を該ドロップクロージャの外側に取り付け、前記増設光ドロップケーブルを前記受け金具の貫通孔に通して受け止めたのちに前記ドロップクロージャ内に引き込んでもよい。
本発明の第２のケーブル引出本数簡易増設方法は、既設ドロップクロージャ（１１０）の長手方向の両端をそれぞれ閉塞するための左側および右側端面部（１１２1，１１２2）からの既設光ドロップケーブルの引出本数が限界に達したのちに該既設ドロップクロージャから増設光ドロップケーブルを引き出せるようにするためのケーブル引出本数簡易増設方法であって、前記既設ドロップクロージャのスリーブ（１１１）を取り外し、前記既設ドロップクロージャの前記左側および右側端面部の外周に、前記増設光ドロップケーブルを該既設ドロップクロージャ内に導入するための左側および右側増設光ドロップケーブル導入口（１５４1，１５４2）が形成された、かつ、２枚の環状の左側および右側増設用端面板（１５１11，１５１12；１５１21，１５１22）と該２枚の左側および右側増設用端面板の間にそれぞれ設けられた左側および右側増設用防水パッキン（１５２1，１５２2）とを備えた左側および右側増設用端面部（１５０1，１５０2）を取り付け、前記既設ドロップクロージャに増設用スリーブ（１７１）を被せて固定し、前記左側および右側増設用端面部の四隅において左側および右側増設用ボルト（１５５1，１５５2）と左側および右側増設用ナット（１５６1，１５６2）とで前記左側および右側増設用端面板を両側面からそれぞれ締め付け、該左側および右側増設用端面板で前記左側および右側増設用防水パッキンをそれぞれ圧縮して前記左側および右側増設用端面部と前記左側および右側端面部および前記増設用スリーブとを密着させることを特徴とする。
【０００９】
本発明のドロップクロージャは、第１および第２の垂下部（１１1，１１2）が底面の中央部に形成されたかつ該第１および第２の垂下部によって開閉可能とされたスリーブ（１１）を具備するドロップクロージャ（１０）の長手方向の両端をそれぞれ閉塞するための左側および右側端面部（１２1，１２2）からの既設光ドロップケーブルの引出本数が限界に達したのちに該ドロップクロージャから増設光ドロップケーブル（１）を引き出せるようにしたドロップクロージャであって、前記スリーブによって前記ドロップクロージャの内部に形成される収容空間内に取り付けられた、かつ、前記増設光ドロップケーブルを前記スリーブの前記第１および第２の垂下部で挟んで前記ドロップクロージャから外部に引き出す際に該増設光ドロップケーブルの支持線（３）を引き留めて該増設光ドロップケーブルを該ドロップクロージャで支持するための引留金具（１６）と、前記スリーブの前記第１および第２の垂下部にそれぞれ取り付けられた、かつ、前記増設光ドロップケーブルを前記スリーブの前記第１および第２の垂下部で挟んで前記ドロップクロージャから外部に引き出す際に該増設光ドロップケーブルを傷めないようにするとともに前記ドロップクロージャの防水対策を施すためのゴム製の第１および第２のパッキン（１７1，１７2）と、
を具備することを特徴とする。
ここで、前記ドロップクロージャの外側に取り付けられた、かつ、前記第１および第２の垂下部の間から引き出された前記増設光ドロップケーブルを通すための貫通孔が該ドロップクロージャの長手方向に沿って形成された受け金具（１８1，１８2）をさらに具備してもよい。
前記引留金具に、前記増設光ドロップケーブルの最大数と等しい数の孔が、該ドロップクロージャの長手方向に沿って一列に形成されており、前記増設光ドロップケーブルの支持線が、前記引留金具の孔を通されて該引留金具に巻き付けられて引き留められてもよい。
【発明の効果】
【００１０】
本発明のケーブル引出本数簡易増設方法およびドロップクロージャは、以下に示す効果を奏する。
（１）クロージャ内部ユニットを新設する必要がないため、ドロップクロージャの大幅な大型化を伴うことがない。
（２）ドロップクロージャの設置後でも光ドロップケーブルの引出本数を増加することができるため、設備コスト（修繕費）を低減することができる。
（３）既設運用中のドロップケーブルに支障を与えずに光ドロップケーブルの引出本数を増加することができるため、事業者側の都合の良いときに作業を行うことができる。
（４）アクセス系光ケーブルの切断を伴わずに光ドロップケーブルの引出本数を増加することができるため、アクセス系光ケーブル支障移転の作業効率が低下することがない。
（５）ドロップクロージャの設置数や設置箇所が増加することがないため、心線管理が複雑化することがない。
【発明を実施するための最良の形態】
【００１１】
上記の目的を、増設光ドロップケーブルをスリーブの第１および第２の垂下部で挟んでドロップクロージャから外部に引き出すことにより、または、既設ドロップクロージャの左側および右側端面部の外周に、増設光ドロップケーブルを既設ドロップクロージャ内に導入するための左側および右側増設光ドロップケーブル導入口が形成された左側および右側増設用端面部を取り付けることにより実現した。
【実施例１】
【００１２】
以下、本発明のケーブル引出本数簡易増設方法およびドロップクロージャの実施例について、図面を参照して説明する。
なお、本明細書では、既に設置されているドロップクロージャの引出本数が限界に達するまでの光ドロップケーブルを「既設光ドロップケーブル」と称し、引出本数が限界に達したのちにこのドロップクロージャから引き出せるように増設する光ドロップケーブルを「増設光ドロップケーブル」と称する。
【００１３】
まず、本発明の第１の実施例によるケーブル引出本数簡易増設方法について、図１および図２を参照して説明する。
本実施例によるケーブル引出本数簡易増設方法において使用されるドロップクロージャ１０（本発明の一実施例によるドロップクロージャ）は、図１に示すように、筒状のスリーブ１１と、左側および右側端面部１２1，１２2と、連結金具１３と、左側および右側ケーブル把持金具１４1，１４2と、左側および右側吊り金具１５1，１５2と、引留金具１６と、第１および第２のパッキン１７1，１７2（図２参照）と、左側および右側受け金具１８1，１８2とを具備する。
【００１４】
スリーブ１１は、耐候性ポリエチレンなどの樹脂から構成されており、融着トレイ２１および光カプラトレイ２２を収容する収容空間をドロップクロージャ１０の内部に形成するためのものである。また、スリーブ１１は、図２に示すように、底面の中央部において垂直に突出された第１および第２の垂下部１１1，１１2を備え、第１および第２の垂下部１１1，１１2によって開閉可能とされている。
【００１５】
本実施例によるケーブル引出本数簡易増設方法は、増設光ドロップケーブル１をスリーブ１１の第１および第２の垂下部１１1，１１2で挟んでドロップクロージャ１０から外部に引き出す点を特徴としている。
そのため、増設光ドロップケーブル１を傷めないようにするために、また、耐水性が弱い既設光ドロップケーブルの心線が露出しているドロップクロージャ１０内に増設光ドロップケーブル１を引き込む際に雨水などが毛細管現象によってドロップクロージャ１０内に浸入しないように防水対策を施すために、ゴム製の第１および第２のパッキン１７1，１７2が、たとえば両面テープによって、スリーブ１１の第１および第２の垂下部１１1，１１2にそれぞれ取り付けられている。
【００１６】
また、第１および第２の垂下部１１1，１１2と第１および第２のパッキン１７1，１７2とには、４個の締結ボルト１９をそれぞれ貫通させるための４個の貫通孔（不図示）がスリーブ１１の長手方向（軸方向）に沿って一定の間隔で形成されている。これにより、４個の締結ボルト１９をこれらの貫通孔にそれぞれ通したのち４個の締結ナット２０と共に第１および第２の垂下部１１1，１１2と第１および第２のパッキン１７1，１７2とを両側面から締め付けることにより、増設光ドロップケーブル１を挟んで固定するとともにドロップクロージャ１０内の収容空間を水密および気密に封止するようにされている（図２参照）。
【００１７】
左側および右側端面部１２1，１２2は、ドロップクロージャ１０の長手方向の両端をそれぞれ閉塞するためのものである。左側および右側端面部１２1，１２2の中央部には、アクセス系光ケーブルをドロップクロージャ１０内に導入するための１個の光ケーブル導入口（不図示）が形成されており、また、左側および右側端面部１２1，１２2の上部には、複数の既設光ドロップケーブルをドロップクロージャ１０内にそれぞれ導入するための複数の既設光ドロップケーブル導入口（不図示）とが形成されている。
【００１８】
連結金具１３は、融着トレイ２１および光カプラトレイ２２をドロップクロージャ１０内に固定するためのものであり、連結金具１３の両端は左側および右側端面部１２1，１２2にそれぞれ固定されている。
【００１９】
左側および右側ケーブル把持金具１４1，１４2は、左側および右側端面部１２1，１２2の光ケーブル導入口を介してドロップクロージャ１０内に導入されたアクセス系光ケーブルを把持して固定するためのものである。
【００２０】
融着トレイ２１は、アクセス系光ケーブルの心線と既設光ドロップケーブルの心線とを融着して接続するためのものである。
光カプラトレイ２２は、ドロップクロージャ１０において光ドロップケーブルの引出本数が限界に達した場合（すなわち、左側および右側端面部１２1，１２2のすべての既設光ドロップケーブル導入口から既設光ドロップケーブルが引き出された場合）に、光カプラトレイ２２内に設置された１：３２の光カプラ（不図示）によってアクセス系光ケーブルの１本の心線を３２分岐して最大３２本の増設光ドロップケーブルの心線とそれぞれ接続することにより、最大３２本の増設光ドロップケーブルをドロップクロージャ１０から引き出すことができるようにするためのものである。
【００２１】
左側および右側吊り金具１５1，１５2は、ドロップクロージャ１０を２本の電柱（支持物）間に設置された吊線（不図示）に吊るして固定するためのものである。なお、左側および右側吊り金具１５1，１５2は、左側および右側端面部１２1，１２2の外側上部に支持棒を介してそれぞれ取り付けられている。
【００２２】
引留金具１６は、増設光ドロップケーブルの最大数（＝３２本）と等しい数である３２個の孔がドロップクロージャ１０の長手方向に沿って一列に形成された金属板（たとえば、ステンレス板）から構成されており、その両端部が左側および右側ケーブル把持金具１４1，１４2にそれぞれ固定されることによりドロップクロージャ１０の収容空間の連結金具１３よりも下側（スリーブ１１の底面側）に設けられている。
【００２３】
本実施例によるケーブル引出本数簡易増設方法は、増設光ドロップケーブル１の支持線３を引留金具１６の孔に通して引留金具１６に１回以上巻き付けて引き留めることにより増設光ドロップケーブル１をドロップクロージャ１０で支持する点を特徴としている。
このように引留金具１６をドロップクロージャ１０内に設ける理由は、以下のとおりである。
一般に、心線と支持線（鋼線）とを備えた光ドロップケーブルをドロップクロージャ内に引き込む場合には、ドロップクロージャの外部で心線と支持線とを分離するとともに分離した支持線を引き留めることにより、心線のみをドロップクロージャ内に引き込んでいる。しかし、このようにドロップクロージャの外部で支持線を引き留める場合には、心線の引込本数が多くなると、支持線の引留部分が輻輳し、撤去作業時などに支障をきたしている。そこで、本実施例によるケーブル引出本数簡易増設方法では、増設光ドロップケーブル１をドロップクロージャ１０内に引き込む際には、心線２と支持線３とを分離することなく増設光ドロップケーブル１をドロップクロージャ１０内に引き込み、ドロップクロージャ１０内で心線２と支持線３とを分離し、分離した支持線３を引留金具１６に巻き付けることにより、支持線３を引き留める。
【００２４】
左側および右側受け金具１８1，１８2は、一端が左側および右側吊り金具１５1，１５2の支持棒にそれぞれ固定されることにより、ドロップクロージャ１０の左側および右側端面部１２1，１２2と左側および右側吊り金具１５1，１５2との間に取り付けられている。また、左側および右側受け金具１８1，１８2の他端には、スリーブ１１の第１および第２の垂下部１１1，１１2の間から引き出された増設光ドロップケーブルを通すための貫通孔（不図示）が、ドロップクロージャ１０の長手方向に沿って形成されている。左側および右側受け金具１８1，１８2の材質は、錆びに強いステンレスとされている。
【００２５】
本実施例によるケーブル引出本数簡易増設方法は、増設光ドロップケーブル１を右側または左側受け金具１８1，１８2の貫通孔に通して受け止めたのちにドロップクロージャ１０に引き込む点を特徴としている。
このように増設光ドロップケーブル１を右側または左側受け金具１８1，１８2で受け止める理由は、以下のとおりである。
増設光ドロップケーブル１をドロップクロージャ１０内に直接引き込むと、引き込んだ増設光ドロップケーブル１の支持線３が巻き付けられる引留金物１６に下向きの張力が直接かかってしまうため、増設光ドロップケーブル１に大きな張力がかかると増設光ドロップケーブル１がドロップクロージャ１０から外れてしまう。そこで、増設光ドロップケーブル１を右側または左側受け金具１８1，１８2で受け止めたのちドロップクロージャ１０内に引き込むことにより、引留金物１６に下向きの張力が直接かかることを防止する。
【００２６】
次に、本実施例によるケーブル引出本数簡易増設方法における作業手順について、図１に示した増設光ドロップケーブル１をドロップクロージャ１０に引き込む場合を例として説明する。
作業員は、４個の締結ボルト１９をすべて外してスリーブ１１の第１および第２の垂下部１１1，１１2を左右に引っ張って、スリーブ１１を開いて取り外す。
その後、作業員は、増設光ドロップケーブル１を左側受け金具１８1の貫通孔に通したのち、増設光ドロップケーブル１の先端部分の心線２と支持線３とを分離する。作業員は、分離した支持線３を引留金具１６の孔に通して１回以上巻き付けるとともに、分離した心線２を光カプラトレイ２２内で光カプラと接続する。
その後、作業員は、増設光ドロップケーブル１を第１および第２のパッキン１７1，１７2で挟むようにスリーブ１１を取り付けたのち、４個の締結ボルト１９を第１および第２の垂下部１１1，１１2の貫通孔と第１および第２のパッキン１７1，１７2の貫通孔とに通したのち、４個の締結ボルト１９と４個の締結ナット２０とで第１および第２の垂下部１１1，１１2と第１および第２のパッキン１７1，１７2とを締め付けることにより、スリーブ１１を固定する。
【００２７】
本実施例によるケーブル引出本数簡易増設方法では、ドロップクロージャ１０は従来のドロップクロージャと同じサイズで構成することができるため、ドロップクロージャの大幅な大型化を伴うことがない。また、ドロップクロージャ１０が設置された後でも最大３２本の増設光ドロップケーブル１をドロップクロージャ１０内に引き込むことができるため、ドロップクロージャ１０の設置後も光ドロップケーブルの引出本数を増やすことができる。
【００２８】
以上の説明においては、３２個の孔が形成された金属板から構成された引留金具１６を用いたが、孔が形成されていない金属板から構成された引留金具や、両側面に３２個の凹部が形成された金属板から構成された引留金具を用いてもよい。
また、最大３２本の増設光ドロップケーブルを引き出せるようにしたが、たとえば、最大１２本の増設光ドロップケーブルを引き出せるようにしてもよい。この場合には、引留金具１６の孔の数は１２個でよい。
【実施例２】
【００２９】
次に、本発明の第２の実施例によるケーブル引出本数簡易増設方法について説明する。
本実施例によるケーブル引出本数簡易増設方法は、既設ドロップクロージャの引出本数が限界に達したのちに既設ドロップクロージャから増設光ドロップケーブルを引き出せるようにするために、既設ドロップクロージャの左側および右側端面部の外周に、増設光ドロップケーブルを既設ドロップクロージャ内に導入するための左側および右側増設光ドロップケーブル導入口が形成された左側および右側増設用端面部を取り付けることを特徴とする。
【００３０】
以下、本実施例によるケーブル引出本数簡易増設方法について、図３（ａ）に示す既設ドロップクロージャ１１０において、左側および右側端面部１１２1，１１２2の上下に８個ずつ設けられた左側および右側既設光ドロップケーブル導入口１３４1，１３４2のすべてから既設光ドロップケーブルが引き出されたのちに増設光ドロップケーブルを既設ドロップクロージャ１１０から引き出せるようにする場合を例として説明する。
【００３１】
既設ドロップクロージャ１１０は、筒状のスリーブ１１１と、左側および右側端面部１１２1，１１２2と、連結金具１１３（図３（ｂ）参照）と、左側および右側ケーブ把持金具１１４1，１１４2（不図示）と、左側および右側吊り金具１１５1，１１５2（不図示）とを具備する。
【００３２】
スリーブ１１１は、図１に示したドロップクロージャ１０のスリーブ１１と同様に、底面の中央部において垂直に突出された第１および第２の垂下部１１１1，１１１2を備え、第１および第２の垂下部１１１1，１１１2によって開閉可能とされている。
また、第１および第２の垂下部１１１1，１１１2には、４個の締結ボルト（不図示）をそれぞれ貫通させるための４個の貫通孔（不図示）がスリーブ１１１の長手方向に沿って一定の間隔で形成されている。これにより、４個の締結ボルトをこれらの貫通孔にそれぞれ通したのち４個の締結ナット（不図示）と共に第１および第２の垂下部１１１1，１１１2を両側面から締め付けて既設ドロップクロージャ１１０内の収容空間を水密および気密に封止するようにされている。
【００３３】
左側端面部１１２1は、図４（ａ）に示すように、２枚の左側端面板１３１11，１３１12と、２枚の左側端面板１３１11，１３１12の間に設けられた左側防水パッキン１３２1とを備える。なお、左側防水パッキン１３２1は、アクセス系光ケーブル、既設光ドロップケーブルおよび左側ボルト１３５1を貫通させるために環状とされている。右側端面部１１２2も、左側端面部１１２1と同様に構成されている。
左側端面部１１２1の左側端面板１３１11，１３１12の中央部と右側端面部１１２2の右側端面板１３１21，１３１22の中央部とには、アクセス系光ケーブルをドロップクロージャ１１０内に導入するための左側および右側光ケーブル導入口１３３1，１３３2が１個ずつ形成されている（図３（ｂ）参照）。
また、左側端面部１１２1の左側端面板１３１11，１３１12の上下と右側端面部１１２2の右側端面板１３１21，１３１22の上下とには、合計で３２本の既設光ドロップケーブルをドロップクロージャ１１０内にそれぞれ導入するための左側および右側既設光ドロップケーブル導入口１３４1，１３４2が８個ずつ形成されている（図３（ｂ）参照）。
さらに、左側端面部１１２1の左側端面板１３１11，１３１12の左側光ケーブル導入口１３３1の上と右側端面部１１２2の右側端面板１３１21，１３１22の右側光ケーブル導入口１３３2の上とには、左側および右側ナット１３６1，１３６2と共に左側および右側端面板１３１11，１３１12，１３１21，１３１22を両側面からそれぞれ締め付けることにより左側および右側防水パッキン１３２1，１３２2をそれぞれ圧縮して既設ドロップクロージャ１１０の両端部をそれぞれ水密および気密に封止するための左側および右側ボルト１３５1，１３５2をそれぞれ貫通させるための貫通孔が形成されている。
【００３４】
連結金具１１３と左側および右側ケーブ把持金具１１４1，１１４2と左側および右側吊り金具１１５1，１１５2とは、図１に示した連結金具１３と左側および右側ケーブ把持金具１４1，１４2と左側および右側吊り金具１５1，１５2と同様に構成されている。
【００３５】
次に、増設光ドロップケーブルを既設ドロップクロージャ１１０から引き出せるようにするために使用する左側および右側増設用端面部１５０1，１５０2と増設用スリーブ１７１とについて、図５および図６を参照して説明する。
【００３６】
左側増設用端面部１５０1は、図５（ａ）に示すように、２枚の環状の左側増設用端面板１５１11，１５１12と、２枚の左側増設用端面板１５１11，１５１12の間に設けられた環状の左側増設用防水パッキン１５２1とを具備する。
左側増設用端面板１５１11，１５１12は、底面の中央部において垂直に突出された２つの左側増設用垂下部１５３11，１５３12を備え、左側増設用垂下部１５３11，１５３12によって開閉可能とされている。なお、左側増設用垂下部１５３11，１５３12の中央部には、図５（ｂ）に示すように、左側増設用締結ボルト１６１1と左側増設用締結ナット１６２1とを挿入するための孔と、左側増設用締結ボルト１６１1を貫通させるための貫通孔とが形成されている。これにより、左側増設用端面部１５０1を左側端面部１１２1に被せたのち左側増設用締結ボルト１６１1および左側増設用締結ナット１６２1で左側増設用垂下部１５３1，１５３2を両側面から締め付けることにより、左側増設用端面部１５０1を左側端面部１１２1に取り付けることができる。
また、左側増設用端面部１５０1の左側増設用端面板１５１11，１５１12の上下と左側増設用防水パッキン１５２1の上下とには、合計で１６本の増設光ドロップケーブルを既設ドロップクロージャ１１０にそれぞれ導入するための左側増設光ドロップケーブル導入口１５４1が８個ずつ形成されている。
さらに、左側増設用端面板１５１11，１５１12の四隅と左側増設用防水パッキン１５２1の四隅とには、４個の左側増設用ナット１５６1（不図示）と共に左側増設用端面板１５１11，１５１12を両側面から締め付けることにより左側増設用防水パッキン１５２1を圧縮して既設ドロップクロージャ１１０の左端部を水密および気密に封止するための４個の左側増設用ボルト１５５1をそれぞれ貫通させるための貫通孔が形成されている。
右側増設用端面部１５０2も、左側増設用端面部１５０1と同様に構成されている。
【００３７】
増設用スリーブ１７１は、左側および右側増設用端面部１５０1，１５０2が左側および右側端面部１１２1，１１２2に取り付けられた既設ドロップクロージャ１１０では端面部の大きさが一回り大きくなるため、図３（ａ）に示したスリーブ１１１の代わりに使用するものである。
増設用スリーブ１７１は、図６に示すように、底面の中央部において垂直に２段に突出された第１および第２の増設用垂下部１７１1，１７１2を備え、第１および第２の増設用垂下部１７１1，１７１2によって開閉可能とされている。また、図示していないが、第１および第２の増設用垂下部１７１1，１７１2は、スリーブ１１１の第１および第２の垂下部１１１1，１１１2と同様に、４個の締結ボルトをそれぞれ貫通させるための４個の貫通孔（不図示）が増設用スリーブ１７１の長手方向に沿って一定の間隔で形成されている。これにより、４個の締結ボルトをこれらの貫通孔にそれぞれ通したのち４個の締結ナットと共に第１および第２の増設用垂下部１７１1，１７１2を両側面から締め付けて既設ドロップクロージャ１１０内の収容空間を水密および気密に封止するようにされている。
【００３８】
次に、本実施例によるケーブル引出本数簡易増設方法における作業手順について、図３乃至図６を参照して説明する。
作業者は、既設ドロップクロージャ１１０のスリーブ１１１を取り外したのち（図３（ａ），（ｂ）参照）、左側および右側端面部１１２1，１１２2の左側および右側ボルト１３５1，１３５2を回して左側および右側防水パッキン１３２1，１３２2をそれぞれ緩める（図４（ａ），（ｂ）参照）。
【００３９】
その後、作業者は、左側および右側増設用端面部１５０1，１５０2を既設ドロップクロージャ１１０の左側および右側端面部１１２1，１１２2の外周にそれぞれ取り付けたのち、左側および右側増設用締結ボルト１６１1，１６１2と左側および右側増設用締結ナット１６２1，１６２2とで左側および右側増設用垂下部１５３11，１５３12，１５３21，１５３22を両側面からそれぞれ締め付けて（図５（ｂ）参照）、左側および右側増設用端面部１５０1，１５０2を既設ドロップクロージャ１１０の左側および右側端面部１１２1，１１２2の外周にそれぞれ固定する。
【００４０】
その後、作業者は、既設ドロップクロージャ１１０の左側および右側端面部１１２1，１１２2の左側および右側ボルト１３５1，１３５2を回して左側および右側防水パッキン１３２1，１３２2を両側面からそれぞれ締め付けることにより、左側および右側端面部１１２1，１１２2と左側および右側増設用端面部１５０1，１５０2とを密着させる。
【００４１】
その後、作業者は、増設光ドロップケーブルの心線を左側または右側増設用端面部１５０1，１５０2の左側または右側増設光ドロップケーブル導入口１５４1，１５４2から引き込んだのち、引き込んだ増設光ドロップケーブルの心線を光カプラに接続する。このとき、増設光ドロップケーブルの支持線は、たとえば、左側または右側吊り金具１１５1，１１５2に固定される。
【００４２】
その後、作業者は、増設用スリーブ１７１を被せたのち（図６参照）、４個の増設用締結ボルトと４個の増設用締結ナットとで増設用スリーブ１７１の第１および第２の増設用垂下部１７１1，１７１2を両側面から締め付けて増設用スリーブ１７１を固定する。
【００４３】
その後、作業者は、左側および右側増設用端面部１５０1，１５０2の四隅において左側および右側増設用ボルト１５５1，１５５2と左側および右側増設用ナット１５６1，１５６2とで左側および右側増設用端面板１５１11，１５１12，１５１21，１５１22を両側面から締め付けて左側および右側増設用防水パッキン１５２1，１５２2をそれぞれ圧縮して左側および右側増設用端面部１５０1，１５０2と増設用スリーブ１７１とを密着させる。
【００４４】
以上の説明において、最大３２本の増設光ドロップケーブルを引き出せるようにしたが、たとえば、最大１２本の増設光ドロップケーブルを引き出せるようにしてもよい。
【図面の簡単な説明】
【００４５】
【図１】本発明の第１の実施例によるケーブル引出本数簡易増設方法において使用するドロップクロージャ１０の構成を示す図である。
【図２】図１に示したスリーブ１１の構成を示す図である。
【図３】本発明の第２の実施例によるケーブル引出本数簡易増設方法において使用する既設ドロップクロージャ１１０の構成を示す図である。
【図４】図３に示した既設ドロップクロージャ１１０の左側端面部１１２1の構成を示す図である。
【図５】本発明の第２の実施例によるケーブル引出本数簡易増設方法において使用する左側増設用端面部１５０1の構成を示す図である。
【図６】本発明の第２の実施例によるケーブル引出本数簡易増設方法において使用する増設用スリーブ１７１の構成を示す図である。
【符号の説明】
【００４６】
１  増設光ドロップケーブル
２  心線
３  支持線
１０  ドロップクロージャ
１１，１１１  スリーブ
１１1，１１2，１１１1，１１１2  第１および第２の垂下部
１２1，１２2，１１２1，１１２2  左側および右側端面部
１３，１１３  連結金具
１４1，１４2，１１４1，１１４2  左側および右側ケーブル把持金具
１５1，１５2，１１５1，１１５2  左側および右側吊り金具
１６  引留金具
１７1，１７2  第１および第２のパッキン
１８1，１８2  左側および右側受け金具
１９  締結ボルト
２０  締結ナット
２１  融着トレイ
２２  光カプラトレイ
１１０  既設ドロップクロージャ
１３１11，１３１12，１３１21，１３１22  左側および右側端面板
１３２1，１３２2  左側および右側防水パッキン
１３３1，１３３2  左側および右側光ケーブル導入口
１３４1，１３４2  左側および右側既設光ドロップケーブル導入口
１３５1，１３５2  左側および右側ボルト
１３６1，１３６2  左側および右側ナット
１５０1，１５０2  左側および右側増設用端面部
１５１11，１５１12，１５１21，１５１22  左側および右側増設用端面板
１５２1，１５２2  左側および右側増設用防水パッキン
１５３11，１５３12，１５３21，１５３22  左側および右側増設用垂下部
１５４1，１５４2  左側および右側増設光ドロップケーブル導入口
１５５1，１５５2  左側および右側増設用ボルト
１５６1，１５６2  左側および右側増設用ナット
１６１1，１６１2  左側および右側増設用締結ボルト
１６２1，１６２2  左側および右側増設用締結ナット
１７１  増設用スリーブ
１７１1，１７１2  第１および第２の増設用垂下部
【図１】
0004536036.tif 000002
【図２】
0004536036.tif 000003
【図３】
0004536036.tif 000004
【図４】
0004536036.tif 000005
【図５】
0004536036.tif 000006
【図６】
0004536036.tif 000007